(57)【特許請求の範囲】
【請求項１】
右上に収納ドアが設けられている呼吸内科用高効率投薬装置であって、本体を含み、前記本体の中には撹拌空間と液体保存空間が設置され、前記撹拌空間の中が患者の薬液を保存でき、前記液体保存空間の中には患者の気道を洗浄するときに使用される清水を保存でき、前記撹拌空間の中には混合薬液を撹拌できる撹拌機構が設置され、前記撹拌空間の下側にはウォーム空間が設置され、前記ウォーム空間の下側には保存空間が設置され、前記保存空間の中に患者の気道から吸い取られた痰や液体異物を貯蔵でき、前記保存空間の頂壁には左右対称の二つの洗浄ブロックがスライドできるように設置され、前記洗浄ブロックが前記保存空間の底壁を洗浄して液体を本願発明装置外へ排出でき、前記ウォーム空間の中には前記保存空間の左右移動を制御することによって洗浄を行うことができる制御機構が設置され、
前記保存空間の下側には下方に開口した出口が連通するように設置され、前記出口の中には前記出口を密封するまたは開けることができるスライド板が設置され、前記出口の左側にはスライド空間が連通するように設置され、前記スライド空間の中には前記スライド板の左右移動を制御できるドア開け機構が設置され、前記液体保存空間の右側には右方に開口した収納空間が設置され、前記収納空間の中には患者の気道の中に伸びて洗浄、液体吸引及び薬噴射を行える投薬機構が設置され、前記投薬機構はホースと投薬体を含み、前記収納空間の中には前記ホースと前記投薬体を収納するまたは便利に取り出すことができる収納機構が設置されていることを特徴とする呼吸内科用高効率投薬装置。
【請求項２】
前記撹拌空間と前記液体保存空間との上側にはいずれも入り口が設置され、二つの前記入り口がそれぞれ前記撹拌空間と前記液体保存空間と連通しており、前記入り口の上側にはいずれも密封ドアがスライドできるように取り付けられ、前記撹拌空間と前記液体保存空間との間には保温層が固定的に取り付けられていることを特徴とする請求項１に記載の呼吸内科用高効率投薬装置。
【請求項３】
前記撹拌機構はモーターを含み、前記撹拌空間と前記ウォーム空間との間には減速空間が設置され、前記モーターが前記減速空間の頂壁に固定的に設置され、前記モーターの上下両側面にはいずれもモーター軸が伝動できるように連結され、上側に位置した前記モーター軸において上方へ延びた部分が前記撹拌空間の中に挿入され、上側に位置した前記モーター軸の外周には等間隔に配列するように配置された八つの撹拌棒が固定的に設置されていることを特徴とする請求項１に記載の呼吸内科用高効率投薬装置。
【請求項４】
前記制御機構は前記ウォーム空間の左右壁の間に回転できるように設置されたウォームを含み、下側に位置した前記モーター軸の底面には減速器が固定的に設置され、前記ウォーム空間の頂壁には縦軸が回転できるように設置され、前記縦軸において上方へ延びた部分が前記減速空間の中に挿入され、且つ前記減速器と伝動できるように連結され、前記縦軸の底面には第一傘歯車が固定的に設置され、前記ウォームの外周には第二傘歯車が固定的に設置され、前記第二傘歯車と前記第一傘歯車とが噛み合っており、前記ウォーム空間の底壁には左右対称な二つの伝動軸が回転できるように設置され、前記伝動軸の頂面にはいずれもウォームホイールが固定的に設置され、前記ウォームホイールと前記ウォームとが噛み合っていることを特徴とする請求項３に記載の呼吸内科用高効率投薬装置。
【請求項５】
前記保存空間の左右両側には従動空間が設置され、前記従動空間において前記保存空間に近接した壁にはいずれもねじスリーブが回転できるように設置され、二つの前記洗浄ブロックにおいて互いに離れた面にはいずれも第一ねじロッドが固定的に設置され、二つの前記従動空間において互いに離れた側には横空間がいずれも連通するように設置され、二つの前記第一ねじロッドにおいて互いに離れた側へ延びた部分がいずれも前記本体の内壁と前記ねじスリーブを貫通し前記横空間の中に挿入され、前記第一ねじロッドと前記本体の内壁とが隙間ばめになっており、前記第一ねじロッドと前記ねじスリーブとがねじ山により連結され、前記ねじスリーブの外周にはいずれも第三傘歯車が固定的に設置され、前記伝動軸において下方へ延びた部分がいずれも前記従動空間の中に挿入され、前記伝動軸の底面にはいずれも第四傘歯車が固定的に設置され、前記第四傘歯車と前記第三傘歯車とが噛み合っていることを特徴とする請求項４に記載の呼吸内科用高効率投薬装置。
【請求項６】
前記洗浄ブロックの底面にはブラシが固定的に設置されていることを特徴とする請求項５に記載の呼吸内科用高効率投薬装置。
【請求項７】
前記ドア開け機構は前記スライド空間の左壁に回転できるように設置された第二ねじロッドを含み、前記スライド板が前記スライド空間の内壁にスライドできるように設置され、前記スライド板の中には左方に開口したねじ山空間が設置され、前記第二ねじロッドが前記ねじ山空間の内壁と噛み合っており、前記第二ねじロッドにおいて左方へ延びた部分が左側に位置した前記従動空間の中に挿入され、前記第二ねじロッドの左側面には第一プーリーが固定的に設置され、左側に位置した前記ねじスリーブの外周には第二プーリーが固定的に設置され、前記第二プーリーと前記第一プーリーとの間にはベルトが伝動できるように取り付けられていることを特徴とする請求項５に記載の呼吸内科用高効率投薬装置。
【請求項８】
前記ホースの右側面が前記投薬体の左側面と固定的に連結され、前記ホースの中には空き空間が設置され、前記投薬体の中には左方に開口した矩形空間が設置され、前記矩形空間の右側には円柱空間が連通するように設置され、前記円柱空間と外部には貫穴が連通するように設置され、前記投薬体の右側面には洗浄綿が固定的に設置され、前記矩形空間の右壁には第一三方管が固定的に設置され、前記第一三方管と前記円柱空間とが連通しており、前記第一三方管の左側には送り管と液体吸引管が連通するように取り付けられ、前記送り管と前記液体吸引管において左方へ延びた部分がいずれも前記ホースの内壁と前記空き空間を貫通しており、且つ前記収納空間の中に挿入され、前記液体保存空間の下側にはポンプ空間が設置され、前記ポンプ空間の頂壁には送りポンプが固定的に設置され、前記ポンプ空間の底壁には液体吸引ポンプが固定的に設置され、前記ポンプ空間と前記収納空間との間には連通空間が連通するように設置され、前記送りポンプと前記送り管とが固定的に連結され、前記液体吸引ポンプと前記液体吸引管とが固定的に連結され、前記液体吸引ポンプと前記保存空間との間には液体排出管が連通するように取り付けられ、前記撹拌空間と前記液体保存空間の下側にはいずれも電磁バルブが連通するように取り付けられ、二つの前記電磁バルブの下側にはいずれも第二三方管が連通するように取り付けられ、前記第二三方管と前記送りポンプとの間には横管が連通するように取り付けられていることを特徴とする請求項１に記載の呼吸内科用高効率投薬装置。
【請求項９】
前記収納機構は前記収納空間の後壁に等間隔に配置された五つの収納ロッドを含み、前記収納空間の前後壁の間には回転軸が固定的に設置され、前記回転軸の外周には前記収納ドアが回転できるように設置され、前記収納ドアの中には上方に開口した固定溝が形成され、前記本体の右側面にはスライドブロックが上下にスライドできるように設置され、前記スライドブロックの下側にはバックルブロックがヒンジにより連結され、前記バックルブロックと前記本体の左側面との間にはばねが固定的に取り付けられていることを特徴とする請求項１に記載の呼吸内科用高効率投薬装置。
【発明の詳細な説明】
【技術分野】
【０００１】
本発明は医療技術分野を取り上げて、具体的には呼吸内科用高効率投薬装置である。
【背景技術】
【０００２】
ほとんどの呼吸内科の病気は、気道の病変によって引き起こされ、患者は、気道の内壁で定期的に投薬治療する必要があるが、一般的な治療方法は、直接薬を服用するか、錠剤を服用することである。このような治療方法は治療効果を大幅に減少させ、薬物は消化によって治療できるが、時間がかかり、気道の壁に直接影響を与えることは困難であり、患者の不快な状態を直接緩和することは困難である。さらに、気道病気は、多くの場合、患者の気道の痰や異物による閉塞の問題を引き起こし、洗浄されなければ、薬の効果を低下させる。
【先行技術文献】
【特許文献】
【０００３】
【特許文献１】中国特許出願公開第１０４８１４８７３号明細書
【発明の概要】
【発明が解決しようとする課題】
【０００４】
本発明の目的は呼吸内科用高効率投薬装置を提供し、それは上記の現在の技術中の問題を解決できる。
【課題を解決するための手段】
【０００５】
呼吸内科用高効率投薬装置は、本体を含み、前記本体の中には撹拌空間と液体保存空間が設置され、前記撹拌空間の中が患者の薬液を保存でき、前記液体保存空間の中には患者の気道を洗浄するときに使用される清水を保存でき、前記撹拌空間の中には混合薬液を撹拌できる撹拌機構が設置され、前記撹拌空間の下側にはウォーム空間が設置され、前記ウォーム空間の下側には保存空間が設置され、前記保存空間の中に患者の気道から吸い取られた痰や液体異物を貯蔵でき、前記保存空間の頂壁には左右対称の二つの洗浄ブロックがスライドできるように設置され、前記洗浄ブロックが前記保存空間の底壁を洗浄して液体を本願発明装置外へ排出でき、前記ウォーム空間の中には前記保存空間の左右移動を制御することによって洗浄を行うことができる制御機構が設置され、前記保存空間の下側には下方に開口した出口が連通するように設置され、前記出口の中には前記出口を密封するまたは開けることができるスライド板が設置され、前記出口の左側にはスライド空間が連通するように設置され、前記スライド空間の中には前記スライド板の左右移動を制御できるドア開け機構が設置され、前記液体保存空間の右側には右方に開口した収納空間が設置され、前記収納空間の中には患者の気道の中に伸びて洗浄、液体吸引及び薬噴射を行える投薬機構が設置され、前記投薬機構はホースと投薬体を含み、前記収納空間の中には前記ホースと前記投薬体を収納するまたは便利に取り出すことができる収納機構が設置されている。
【０００６】
さらなる技術プラン、前記撹拌空間と前記液体保存空間との上側にはいずれも入り口が設置され、二つの前記入り口がそれぞれ前記撹拌空間と前記液体保存空間と連通しており、前記入り口の上側にはいずれも密封ドアがスライドできるように取り付けられ、前記撹拌空間と前記液体保存空間との間には保温層が固定的に取り付けられている。
【０００７】
さらなる技術プラン、前記撹拌機構はモーターを含み、前記撹拌空間と前記ウォーム空間との間には減速空間が設置され、前記モーターが前記減速空間の頂壁に固定的に設置され、前記モーターの上下両側面にはいずれもモーター軸が伝動できるように連結され、上側に位置した前記モーター軸において上方へ延びた部分が前記撹拌空間の中に挿入され、上側に位置した前記モーター軸の外周には等間隔に配列するように配置された八つの撹拌棒が固定的に設置されている。
【０００８】
さらなる技術プラン、前記制御機構は前記ウォーム空間の左右壁の間に回転できるように設置されたウォームを含み、下側に位置した前記モーター軸の底面には減速器が固定的に設置され、前記ウォーム空間の頂壁には縦軸が回転できるように設置され、前記縦軸において上方へ延びた部分が前記減速空間の中に挿入され、且つ前記減速器と伝動できるように連結され、前記縦軸の底面には第一傘歯車が固定的に設置され、前記ウォームの外周には第二傘歯車が固定的に設置され、前記第二傘歯車と前記第一傘歯車とが噛み合っており、前記ウォーム空間の底壁には左右対称な二つの伝動軸が回転できるように設置され、前記伝動軸の頂面にはいずれもウォームホイールが固定的に設置され、前記ウォームホイールと前記ウォームとが噛み合っている。
【０００９】
さらなる技術プラン、前記保存空間の左右両側には従動空間が設置され、前記従動空間において前記保存空間に近接した壁にはいずれもねじスリーブが回転できるように設置され、二つの前記洗浄ブロックにおいて互いに離れた面にはいずれも第一ねじロッドが固定的に設置され、二つの前記従動空間において互いに離れた側には横空間がいずれも連通するように設置され、二つの前記第一ねじロッドにおいて互いに離れた側へ延びた部分がいずれも前記本体の内壁と前記ねじスリーブを貫通し前記横空間の中に挿入され、前記第一ねじロッドと前記本体の内壁とが隙間ばめになっており、前記第一ねじロッドと前記ねじスリーブとがねじ山により連結され、前記ねじスリーブの外周にはいずれも第三傘歯車が固定的に設置され、前記伝動軸において下方へ延びた部分がいずれも前記従動空間の中に挿入され、前記伝動軸の底面にはいずれも第四傘歯車が固定的に設置され、前記第四傘歯車と前記第三傘歯車とが噛み合っている。
【００１０】
さらなる技術プラン、前記洗浄ブロックの底面にはブラシが固定的に設置されている。
【００１１】
さらなる技術プラン、前記ドア開け機構は前記スライド空間の左壁に回転できるように設置された第二ねじロッドを含み、前記スライド板が前記スライド空間の内壁にスライドできるように設置され、前記スライド板の中には左方に開口したねじ山空間が設置され、前記第二ねじロッドが前記ねじ山空間の内壁と噛み合っており、前記第二ねじロッドにおいて左方へ延びた部分が左側に位置した前記従動空間の中に挿入され、前記第二ねじロッドの左側面には第一プーリーが固定的に設置され、左側に位置した前記ねじスリーブの外周には第二プーリーが固定的に設置され、前記第二プーリーと前記第一プーリーとの間にはベルトが伝動できるように取り付けられている。
【００１２】
さらなる技術プラン、前記ホースの右側面が前記投薬体の左側面と固定的に連結され、前記ホースの中には空き空間が設置され、前記投薬体の中には左方に開口した矩形空間が設置され、前記矩形空間の右側には円柱空間が連通するように設置され、前記円柱空間と外部には貫穴が連通するように設置され、前記投薬体の右側面には洗浄綿が固定的に設置され、前記矩形空間の右壁には第一三方管が固定的に設置され、前記第一三方管と前記円柱空間とが連通しており、前記第一三方管の左側には送り管と液体吸引管が連通するように取り付けられ、前記送り管と前記液体吸引管において左方へ延びた部分がいずれも前記ホースの内壁と前記空き空間を貫通しており、且つ前記収納空間の中に挿入され、前記液体保存空間の下側にはポンプ空間が設置され、前記ポンプ空間の頂壁には送りポンプが固定的に設置され、前記ポンプ空間の底壁には液体吸引ポンプが固定的に設置され、前記ポンプ空間と前記収納空間との間には連通空間が連通するように設置され、前記送りポンプと前記送り管とが固定的に連結され、前記液体吸引ポンプと前記液体吸引管とが固定的に連結され、前記液体吸引ポンプと前記保存空間との間には液体排出管が連通するように取り付けられ、前記撹拌空間と前記液体保存空間の下側にはいずれも電磁バルブが連通するように取り付けられ、二つの前記電磁バルブの下側にはいずれも第二三方管が連通するように取り付けられ、前記第二三方管と前記送りポンプとの間には横管が連通するように取り付けられている。
【００１３】
さらなる技術プラン、前記収納機構は前記収納空間の後壁に等間隔に配置された五つの収納ロッドを含み、前記収納空間の前後壁の間には回転軸が固定的に設置され、前記回転軸の外周には収納ドアが回転できるように設置され、前記収納ドアの中には上方に開口した固定溝が形成され、前記本体の右側面にはスライドブロックが上下にスライドできるように設置され、前記スライドブロックの下側にはバックルブロックがヒンジにより連結され、前記バックルブロックと前記本体の左側面との間にはばねが固定的に取り付けられている。
【発明の効果】
【００１４】
本願発明の有益な効果は：本願発明は看護師が気道病気を患う患者に投薬することを支援し、患者の気道内部に伸びることができるだけではなく、患者の気道内部に薬を噴射し、気道をきれいにし、気道で液体吸引処理を行い、薬の効果を大幅に高め、撹拌機構は薬を混合して撹拌し、異なる薬を均一に混合し、薬の作用がよくなり、制御機構とドア開け機構は患者の気道から吸い出した痰と異物を処理し装置から排出でき、投薬機構は患者の気道に対して薬噴射と、洗浄及び液体吸引処理を行え、収納機構はより便利に投薬機構を収納するまたは取り出すことができる。
【図面の簡単な説明】
【００１５】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本願発明の内部全体の構造概略図
【図２】図２は本願発明の図１のＡの拡大概略図
【図３】図３は本願発明の図１のＢの拡大概略図
【図４】図４は本願発明の図１のＣの拡大概略図
【図５】図５は本願発明の図１のＤの拡大概略図
【発明を実施するための形態】
【００１７】
図１〜５を参照し、呼吸内科用高効率投薬装置は、本体１１を含み、前記本体１１の中には撹拌空間１４と液体保存空間１６が設置され、前記撹拌空間１４の中が患者の薬液を保存でき、前記液体保存空間１６の中には患者の気道を洗浄するときに使用される清水を保存でき、前記撹拌空間１４の中には混合薬液を撹拌できる撹拌機構１０１が設置され、前記撹拌空間１４の下側にはウォーム空間４０が設置され、前記ウォーム空間４０の下側には保存空間３１が設置され、前記保存空間３１の中に患者の気道から吸い取られた痰や液体異物を貯蔵でき、前記保存空間３１の頂壁には左右対称の二つの洗浄ブロック３３がスライドできるように設置され、前記洗浄ブロック３３が前記保存空間３１の底壁を洗浄して液体を本願発明装置外へ排出でき、前記ウォーム空間４０の中には前記保存空間３１の左右移動を制御することによって洗浄を行うことができる制御機構１０２が設置され、前記保存空間３１の下側には下方に開口した出口７０が連通するように設置され、前記出口７０の中には前記出口７０を密封するまたは開けることができるスライド板６８が設置され、前記出口７０の左側にはスライド空間２９が連通するように設置され、前記スライド空間２９の中には前記スライド板６８の左右移動を制御できるドア開け機構１０３が設置され、前記液体保存空間１６の右側には右方に開口した収納空間４８が設置され、前記収納空間４８の中には患者の気道の中に伸びて洗浄、液体吸引及び薬噴射を行える投薬機構１０４が設置され、前記投薬機構１０４はホース５４と投薬体６０を含み、前記収納空間４８の中には前記ホース５４と前記投薬体６０を収納するまたは便利に取り出すことができる収納機構１０５が設置されている。
【００１８】
また、一つの実施例において、前記撹拌空間１４と前記液体保存空間１６との上側にはいずれも入り口１２が設置され、二つの前記入り口１２がそれぞれ前記撹拌空間１４と前記液体保存空間１６と連通しており、前記入り口１２の上側にはいずれも密封ドア１３がスライドできるように取り付けられ、前記撹拌空間１４と前記液体保存空間１６との間には保温層１５が固定的に取り付けられ、手動で前記密封ドア１３を開け、前記撹拌空間１４の中に薬液を注ぎ、前記液体保存空間１６の中に清水を注ぎ、前記保温層１５により前記撹拌空間１４と前記液体保存空間１６の中の液体を患者に適した温度に維持できる。
【００１９】
また、一つの実施例において、前記撹拌機構１０１はモーター２１を含み、前記撹拌空間１４と前記ウォーム空間４０との間には減速空間２２が設置され、前記モーター２１が前記減速空間２２の頂壁に固定的に設置され、前記モーター２１の上下両側面にはいずれもモーター軸１８が伝動できるように連結され、上側に位置した前記モーター軸１８において上方へ延びた部分が前記撹拌空間１４の中に挿入され、上側に位置した前記モーター軸１８の外周には等間隔に配列するように配置された八つの撹拌棒１７が固定的に設置され、前記モーター２１の作動により、前記モーター軸１８が前記撹拌棒１７を回転させ、前記撹拌空間１４の中の異なる薬液をより均一に混合させることができる。
【００２０】
また、一つの実施例において、前記制御機構１０２は前記ウォーム空間４０の左右壁の間に回転できるように設置されたウォーム４１を含み、下側に位置した前記モーター軸１８の底面には減速器２３が固定的に設置され、前記ウォーム空間４０の頂壁には縦軸２４が回転できるように設置され、前記縦軸２４において上方へ延びた部分が前記減速空間２２の中に挿入され、且つ前記減速器２３と伝動できるように連結され、前記縦軸２４の底面には第一傘歯車２５が固定的に設置され、前記ウォーム４１の外周には第二傘歯車２６が固定的に設置され、前記第二傘歯車２６と前記第一傘歯車２５とが噛み合っており、前記ウォーム空間４０の底壁には左右対称な二つの伝動軸３８が回転できるように設置され、前記伝動軸３８の頂面にはいずれもウォームホイール３９が固定的に設置され、前記ウォームホイール３９と前記ウォーム４１とが噛み合っており、前記モーター２１の作動により、前記モーター軸１８が前記ウォーム４１を回転させ、これにより前記伝動軸３８を回転させる。
【００２１】
また、一つの実施例において、前記保存空間３１の左右両側には従動空間６７が設置され、前記従動空間６７において前記保存空間３１に近接した壁にはいずれもねじスリーブ３５が回転できるように設置され、二つの前記洗浄ブロック３３において互いに離れた面にはいずれも第一ねじロッド２８が固定的に設置され、二つの前記従動空間６７において互いに離れた側には横空間２７がいずれも連通するように設置され、二つの前記第一ねじロッド２８において互いに離れた側へ延びた部分がいずれも前記本体１１の内壁と前記ねじスリーブ３５を貫通し前記横空間２７の中に挿入され、前記第一ねじロッド２８と前記本体１１の内壁とが隙間ばめになっており、前記第一ねじロッド２８と前記ねじスリーブ３５とがねじ山により連結され、前記ねじスリーブ３５の外周にはいずれも第三傘歯車３６が固定的に設置され、前記伝動軸３８において下方へ延びた部分がいずれも前記従動空間６７の中に挿入され、前記伝動軸３８の底面にはいずれも第四傘歯車３７が固定的に設置され、前記第四傘歯車３７と前記第三傘歯車３６とが噛み合っており、前記伝動軸３８の回転により、前記ねじスリーブ３５を回転させることができ、これにより前記第一ねじロッド２８が前記洗浄ブロック３３を左右に移動させ、洗浄効果を果たす。
【００２２】
また、一つの実施例において、前記洗浄ブロック３３の底面にはブラシ３４が固定的に設置され、前記ブラシ３４により前記保存空間３１の底壁の清掃を強化できる。
【００２３】
また、一つの実施例において、前記ドア開け機構１０３は前記スライド空間２９の左壁に回転できるように設置された第二ねじロッド３０を含み、前記スライド板６８が前記スライド空間２９の内壁にスライドできるように設置され、前記スライド板６８の中には左方に開口したねじ山空間６９が設置され、前記第二ねじロッド３０が前記ねじ山空間６９の内壁と噛み合っており、前記第二ねじロッド３０において左方へ延びた部分が左側に位置した前記従動空間６７の中に挿入され、前記第二ねじロッド３０の左側面には第一プーリー６６が固定的に設置され、左側に位置した前記ねじスリーブ３５の外周には第二プーリー６４が固定的に設置され、前記第二プーリー６４と前記第一プーリー６６との間にはベルト６５が伝動できるように取り付けられ、前記ねじスリーブ３５の回転により、前記ベルト６５を伝動させ、これにより前記第二ねじロッド３０が前記スライド板６８を左右に移動させ、二つの前記洗浄ブロック３３が互いに近接した側へ移動するとき、前記スライド板６８が左方へ開けられる。
【００２４】
また、一つの実施例において、前記ホース５４の右側面が前記投薬体６０の左側面と固定的に連結され、前記ホース５４の中には空き空間５５が設置され、前記投薬体６０の中には左方に開口した矩形空間５８が設置され、前記矩形空間５８の右側には円柱空間６１が連通するように設置され、前記円柱空間６１と外部には貫穴６２が連通するように設置され、前記投薬体６０の右側面には洗浄綿６３が固定的に設置され、前記矩形空間５８の右壁には第一三方管５９が固定的に設置され、前記第一三方管５９と前記円柱空間６１とが連通しており、前記第一三方管５９の左側には送り管５６と液体吸引管５７が連通するように取り付けられ、前記送り管５６と前記液体吸引管５７において左方へ延びた部分がいずれも前記ホース５４の内壁と前記空き空間５５を貫通しており、且つ前記収納空間４８の中に挿入され、前記液体保存空間１６の下側にはポンプ空間４４が設置され、前記ポンプ空間４４の頂壁には送りポンプ４３が固定的に設置され、前記ポンプ空間４４の底壁には液体吸引ポンプ７１が固定的に設置され、前記ポンプ空間４４と前記収納空間４８との間には連通空間４５が連通するように設置され、前記送りポンプ４３と前記送り管５６とが固定的に連結され、前記液体吸引ポンプ７１と前記液体吸引管５７とが固定的に連結され、前記液体吸引ポンプ７１と前記保存空間３１との間には液体排出管３２が連通するように取り付けられ、前記撹拌空間１４と前記液体保存空間１６の下側にはいずれも電磁バルブ１９が連通するように取り付けられ、二つの前記電磁バルブ１９の下側にはいずれも第二三方管２０が連通するように取り付けられ、前記第二三方管２０と前記送りポンプ４３との間には横管４２が連通するように取り付けられ、前記洗浄綿６３により患者の気道をきれいにし、前記液体吸引ポンプ７１の作動により、患者気道内の痰と液体異物を前記保存空間３１の中まで吸引し、前記送りポンプ４３の作動により薬液または清水を患者の気道に噴射し、前記電磁バルブ１９により前記送りポンプ４３の中にそれぞれ薬液と清水を注ぐことができる。
【００２５】
また、一つの実施例において、前記収納機構１０５は前記収納空間４８の後壁に等間隔に配置された五つの収納ロッド４６を含み、前記収納空間４８の前後壁の間には回転軸５３が固定的に設置され、前記回転軸５３の外周には収納ドア４７が回転できるように設置され、前記収納ドア４７の中には上方に開口した固定溝５２が形成され、前記本体１１の右側面にはスライドブロック４９が上下にスライドできるように設置され、前記スライドブロック４９の下側にはバックルブロック５０がヒンジにより連結され、前記バックルブロック５０と前記本体１１の左側面との間にはばね５１が固定的に取り付けられ、前記バックルブロック５０により前記収納ドア４７を開けた位置に固定でき、前記ホース５４が前記収納ロッド４６の外周に巻きつけられて収納されることができる。
【００２６】
使用するとき、手動で密封ドア１３を開け、撹拌空間１４の中に薬液を注ぎ、液体保存空間１６の中に清水を注ぎ、保温層１５により撹拌空間１４と液体保存空間１６の中の液体を患者に適した温度に維持でき、モーター２１の作動により、モーター軸１８が撹拌棒１７を回転させ、撹拌空間１４の中の異なる薬液をより均一に混合させることができ、モーター２１の作動により、モーター軸１８がウォーム４１を回転させ、これにより伝動軸３８を回転させ、伝動軸３８の回転により、ねじスリーブ３５を回転させることができ、これにより第一ねじロッド２８が洗浄ブロック３３を左右に移動させ、洗浄効果を果たし、ブラシ３４により保存空間３１の底壁の清掃を強化し、ねじスリーブ３５の回転により、ベルト６５を伝動させ、これにより第二ねじロッド３０がスライド板６８を左右に移動させ、二つの洗浄ブロック３３が互いに近接した側へ移動するとき、スライド板６８が左方へ開けられ、洗浄綿６３により患者の気道をきれいにし、液体吸引ポンプ７１の作動により、患者気道内の痰と液体異物を保存空間３１の中まで吸引し、送りポンプ４３の作動により薬液または清水を患者の気道に噴射し、電磁バルブ１９により送りポンプ４３の中にそれぞれ薬液と清水を注ぎることができ、バックルブロック５０により収納ドア４７を開けた位置に固定でき、ホース５４が収納ロッド４６の外周に巻きつけられて収納されることができる。
【００２７】
以上に述べたのはただ本願発明の具体的な実施方式で、しかし本願発明の保護範囲はここに限らないである。全部の創造的な労働を通じなく思いついた変化と取替は本願発明の保護範囲にカバーされる。だから本願発明の保護範囲は権利要求書が限定される保護範囲を標準とする。
【要約】
【課題】本発明は呼吸内科用高効率投薬装置を開示した。
【解決手段】
主体を含み、前記主体の中には撹拌空間と液体保存空間が設置され、前記撹拌空間の中が患者の薬液を保存でき、前記液体保存空間の中には患者の気道を洗浄するときに使用される清水を保存でき、前記撹拌空間の中には混合薬液を撹拌できる撹拌機構が設置され、前記撹拌空間の下側にはウォーム空間が設置され、前記ウォーム空間の下側には保存空間が設置され、前記保存空間の中に患者の気道から吸い取られた痰や液体異物を貯蔵でき、前記保存空間の頂壁には左右対称の二つの洗浄ブロックがスライドできるように設置され、前記洗浄ブロックが前記保存空間の底壁を洗浄して液体を本願発明装置外へ排出でき、前記ウォーム空間の中には前記保存空間の左右移動を制御することによって洗浄を行うことができる制御機構が設置されている。
【選択図】図１【図１】
0006784901.tif 000002
【図２】
0006784901.tif 000003
【図３】
0006784901.tif 000004
【図４】
0006784901.tif 000005
【図５】
0006784901.tif 000006